(57)【要約】【課題】１本棒マークやレ点マークなどと、帳票の汚れや消し残りを区別し、安定したマーク読取を実現可能なマークシート読取装置を提供する。【解決手段】画像入力部１に入力されたイメージデータは、多値化イメージデータとして多値画像メモリ２に格納されるとともに、予め設定されたしきい値によって二値化された二値化イメージデータとして二値画像メモリに格納し、最大濃度値の画素を有する多値化イメージデータを選択対象候補イメージデータとして選別する。そして選別された選択対象候補イメージデータに対応する二値化イメージデータのサイズを予め設定されたデータサイズと比較し、設定されたデータサイズ以上の二値化イメージデータに対応するイメージデータを選択対象イメージデータとして決定する。【選択図】  図１
2005044237.tif 000002
【特許請求の範囲】
【請求項１】
マークシート読取装置において、複数のイメージデータを入力する画像入力部と、前記複数のイメージデータを多値化してそれぞれの多値化イメージデータを各々格納する多値画像メモリと、前記複数の入力イメージデータを予め指定された二値化しきい値で二値化してそれぞれの二値化イメージデータを各々格納する二値化画像メモリを有し、前記複数の多値化イメージデータ中の画素の最大値濃度値をしきい値として設定し、前記最大濃度値を含む多値化イメージデータを読取対象候補イメージデータとして選別後、更に予め設定された読取対象イメージデータサイズと前記複数の読取対象候補イメージデータに対応する複数の二値化イメージデータサイズを比較してイメージデータサイズが前記読取対象イメージデータ以上のときに当該イメージデータが読取対象イメージデータであると判定することを特徴とするマークシート読取装置。
【発明の詳細な説明】
【技術分野】
【０００１】
本発明は、マークシート読取装置に関し、特にマークシートに記入されたマークの濃度からマークの有無を判定し、読取データを出力するマークシート読取装置に関する。
【背景技術】
【０００２】
従来のこの種のマークシート読取装置では、図４に示すように、画像入力部４１と、濃度処理部４２と、マーク判定部４３により構成される。画像入力部４１にて、実際の帳票イメージを多値メモリに格納する。多値メモリには濃度に応じた値が画素毎に入っている。図５にその例を示す。濃度値を０〜９の１０段階とし、０に近いほど白く、９に近いほど黒を表している。
【０００３】
濃度処理部４２では多値メモリに入力された各画素の濃度値から、読取マーク枠（矩形で囲まれる）内のマーク濃度値を算出する。算出方法には、マーク枠に囲まれた画素の中の最大濃度値をマーク濃度値とするものや、マーク枠内の各画素濃度を加算し、マーク枠内の画素数で割った平均値をマーク濃度値とする方法がある。
【０００４】
マーク判定部４３では濃度処理部４２で算出したマークの濃度値と、予め指定した濃度値（判定しきい値）を比較し、判定しきい値より大の場合はマーク有と判定し、以下の場合はマーク無しとする。（例えば、特許文献１参照。）。
【０００５】
【特許文献１】特開平７−１４６９０８号公報
【発明の開示】
【発明が解決しようとする課題】
【０００６】
上述した従来技術では、一本棒マーク、○印、レ点等のマークとノイズ（紙面の汚れ、消し残し等）を区別することが困難な場合がある（図５  ａ）。例えば、マーク枠で囲まれた各画素の濃度値が図５ａ〜ｄのような場合、１本棒マーク（正常マーク）、紙面汚れ、消し残しのマーク濃度値を算出すると図６のようになる。
【０００７】
最大濃度値をマーク濃度値とした場合、しきい値を８とすると消し残りはマーク無しと判定されるが、１本棒マーク、紙面汚れは共にマーク有りとなってしまう。
【０００８】
また、平均濃度値をマーク濃度値とした場合、判定しきい値を２．０とすると紙面汚れはマーク無と判定されるが、１本棒マーク、消し残りは共にマーク有りと判定される。つまり何れの濃度算出方法でもマークとして読み取りたい１本棒マークと紙面汚れ、消し残りの区別はできないという問題点があった。
【０００９】
本発明は上記問題に鑑みてなされたものであって、本発明は、１本棒マークやレ点マークなどと、帳票の汚れや消し残りを区別し、安定したマーク読取を実現可能なマークシート読取装置を提供することを目的とする。
【課題を解決するための手段】
【００１０】
請求項１記載の発明は、マークシート読取装置において、複数のイメージデータを入力する画像入力部と、前記複数のイメージデータを多値化してそれぞれの多値化イメージデータを各々格納する多値画像メモリと、前記複数の入力イメージデータを予め指定された二値化しきい値で二値化してそれぞれの二値化イメージデータを各々格納する二値化画像メモリを有し、前記複数の多値化イメージデータ中の画素の最大値濃度値をしきい値として設定し、前記最大濃度値を含む多値化イメージデータを読取対象候補イメージデータとして選別後、更に予め設定された読取対象イメージデータサイズと前記複数の読取対象候補イメージデータに対応する複数の二値化イメージデータサイズを比較してイメージデータサイズが前記読取対象イメージデータ以上のときに当該イメージデータが読取対象イメージデータであると判定することを特徴とする。
【発明の効果】
【００１１】
本発明のマークシート読取装置は、１本マークやレ点等を安定に読み取るので、従来の塗りつぶしのマーク記入より記入者の負担を軽減することができる。
【発明を実施するための最良の形態】
【００１２】
次に本発明を実施するための最良の形態について図面を参照して詳細に説明する。図１は本発明の実施形態のマークシート読取装置の構成を示すブロック図で、
画像入力部１と、多値画像メモリ２と、二値画像メモリ３と、ＣＰＵ４とを備えている。
【００１３】
画像入力部１から実帳票のイメージデータを多値画像メモリ２と予め指定した二値化しきい値によって２値化された二値イメージを二値画像メモリ３に格納する。ＣＰＵ１は、多値画像メモリ２及び二値画像メモリ３に格納された各々のイメージを画像処理してマーク有無を判定し、読み取ったデータを外部へ出力する。
【００１４】
図２は、本実施形態の動作を示すフローチャート図である。基本的には従来術と同様に、画像が入力されると（Ｓ１）、濃度処理を行う（Ｓ２）。そして、濃度値が一定値以上の場合（Ｓ３  ＹＥＳ）、マーク形状処理を行って（Ｓ４）、判定を行う（Ｓ５）。
【００１５】
図３は、本実施形態の形状処理を説明する説明図である。図５のｂ〜ｄにて最大値をマークの濃度値とし、判定しきい値を８とした場合、「１本棒マーク」と「紙面汚れ」が形状処理の対象となる。このとき、２値化したしきい値を６とすると、２値化イメージは図３のａ、ｂの様になる。
【００１６】
次に２値イメージの高さ（Ｈ）と幅（Ｗ）を求める。その結果、「１本棒マーク」はＷ＝６、Ｈ＝２となり、「紙面汚れ」はＷ＝３、Ｈ＝２となる。予めマークとして読み取りたいサイズを、高さＨＴ＝２、幅ＷＴ＝５と指定する。
【００１７】
マーク有りの条件をＷ≧ＷＴかつＨ≧ＨＴとすると、「１本棒マーク」だけがマーク有りとなる。
【図面の簡単な説明】
【００１８】
【図１】本発明の実施形態の構成を示すブロック図である。
【図２】本実施形態の動作を示すフローチャート図である。
【図３】本実施形態の形状処理を説明する説明図である。
【図４】従来のマーク読取手順を示すフローチャート図である。
【図５】マークの記入例とその濃度分布を示す説明図である。
【図６】マーク濃度値の算出状態を示す説明図である。
【符号の説明】
【００１９】
１    画像入力部
２    多値画像メモリ
３    二値画像メモリ
４    ＣＰＵ
５    外部機器
【図１】
2005044237.tif 000003
【図２】
2005044237.tif 000004
【図３】
2005044237.tif 000005
【図４】
2005044237.tif 000006
【図５】
2005044237.tif 000007
【図６】
2005044237.tif 000008